(57)【要約】【課題】農作業機や、建設作業機等が走行した跡の路面には、汚土や、わら屑等が落下付着するが、これら掃除機の機体の走行幅よりも広い路面に飛散されたごみを一回往通りのみで掃除完了することは難しく、複数回、乃至往復走行しながらごみを路面幅横端部へ掃き寄せることが多い。一方向に螺曲する螺旋ブラシローラを正、逆回転させて、進行方向に対して左、右いずれの側へでも掃き寄せることが可能であるが、ブラシローラを正転方向と逆転方向に切替える切替操作機構の他に、切替伝動機構等を要し、構成が複雑化となる。【解決手段】回転により左軸端側への搬送力を有した左送ブラシローラ１と、右軸端側への搬送力を有した右送ブラシローラ２を上下一対にして、水平状、かつ平行状にして軸装し、このうち下側に位置するブラシローラ１、又は２を走行路面に接地させて進行方向前面部が上方へ向って回転するように連動構成した路面掃除装置の構成とする。【選択図】図１
2007277807.tif 000002
【特許請求の範囲】
【請求項１】
走行車体（６）の前部に路面を掃除する掃除装置を具備する路面掃除装置において、回転により左軸端側への搬送力を有した左送ブラシローラ（１）と、右軸端側への搬送力を有した右送ブラシローラ（２）を上下一対にして、水平状、かつ平行状にして軸装し、このうち下側に位置するブラシローラ（１）、又は（２）を走行路面に接地させて進行方向前面部が上方へ向って回転するように連動構成したことを特徴とする路面掃除装置。
【請求項２】
前記一対のブラシローラ（１），（２）を、機体（３）に対して昇降可能にすると共に、上下反転可能に構成したことを特徴とする請求項１に記載の路面掃除装置。
【請求項３】
前記ブラシローラ（１）、又は（２）の回転周部に散水する散水装置（４）を設けたことを特徴とする請求項１、又は２に記載の路面掃除装置。
【発明の詳細な説明】
【技術分野】
【０００１】
この発明は、幅広い路面を走行移動しながら、この路面の左右一側端側へごみ類を掃き寄せて、路面掃除する路面掃除装置に関し、簡単な構成、及び作業操作性を容易化するものである。
【背景技術】
【０００２】
ハンドトラクタ車体の後部にセンタドライブ形態のブラシローラを設け、機体進行方向に対して前面部が下方に向うように回転して、中央部から左右両軸端側へ向けて掃き寄せる左右対称形態の螺旋ブラシローラの技術（特許文献１参照）が知られている。又、左右の回転方向を切替えるエンドレスベルトブラシ形態の技術（特許文献２参照）が知られている。
【特許文献１】実開平７−１５８１６号公報（第１項、図１）
【特許文献２】特開平４−２３７７１０号公報（第４項、図１）
【発明の開示】
【発明が解決しようとする課題】
【０００３】
農作業機や、建設作業機等が走行した跡の路面には、汚土や、わら屑等が落下付着するため、これらのごみ類を掃除するために、螺旋ブラシローラを用いることが多い。しかし、掃除機の機体の走行幅よりも広い路面に飛散されたごみを一回往通りのみで掃除完了することは難しく、複数回、乃至往復走行しながらごみを路面幅横端部へ掃き寄せることが多い。このような場合に、一方向に螺曲する螺旋ブラシローラを正、逆回転させて、進行方向に対して左、右いずれの側へでも掃き寄せ可能の形態とすることができるが、この形態ではブラシローラの回転方向を正転方向と逆転方向に切替える切替操作機構の他に、切替伝動機構等を要し、構成が複雑化となる。
【課題を解決するための手段】
【０００４】
請求項１に記載の発明は、回転により左軸端側への搬送力を有した左送ブラシローラ１と、右軸端側への搬送力を有した右送りブラシローラ２を上下一対にして、水平状、かつ平行状にして軸装し、このうち下側に位置するブラシローラ１、又は２を走行路面に接地させて進行方向前面部が上方へ向って回転するように連動構成したことを特徴とする路面掃除装置の構成とする。路面に散らばるごみ類を道路の左側に掃き寄せるときは左送ブラシローラ１を下側の接地部に位置させ、又、右側に掃き寄せるときは右送ブラシローラ２を下側に位置させるように切替える。この下側に位置されたブラシローラ１、又は２の回転によってごみが左側、又は右側へ掃き寄せられて、路面が幅広く掃除される。これらブラシローラ１、又は２は、進行方向に対して前面部が上昇側へ向うように回転されるため、路面から掃き除かれるごみ類は、ブラシローラ１、又は２の前面を浮上されるようにして軸端側へ向けて掃き寄せられる。道路幅が広く、又はごみの散乱幅が広い場合は、同じ道路を往復走行する等によって、しかも左送ブラシローラ１と右送ブラシローラ２の切替えによって、前行程で掃き寄せられごみを更に道路面横端へまで掃き寄せて掃除する。
【０００５】
請求項２に記載の発明は、前記一対のブラシローラ１，２を、機体３に対して昇降可能にすると共に、上下反転可能に構成したことを特徴とするものである。前記上下一対のブラシローラ１，２は、掃除するときは、いずれか一方のブラシローラ１、又は２が下側に位置して機体３に対して下降位置にあり、非掃除のときは、上昇位置に操作される。走行方向とごみを掃き寄せる掃寄方向とによって、使用するブラシローラ１，２を選択して、この使用ブラシローラ１、又は２を下位側に位置するように切替え反転する。このブラシローラ１，２の上下位置の反転が行われた状態で機体３に対して下降して、下側のブラシローラ１、又は２が接地状態となるように設定することができる。
【０００６】
請求項３に記載の発明は、前記ブラシローラ１、又は２の回転周部に散水する散水装置４を設けたことを特徴とするものである。前記路面に接地回転するブラシローラ１、又は２は、回転周面部に散水装置４による散水作用が行われる。ブラシローラ１，２は路面のごみ類を進行方向前面に掬い上げるようにして横方向へ搬送するが、これらブラシローラ１，２に対する付着ごみは、ブラシに沿って回転遠心作用によって流れる水によって流し落されるため、ブラシローラ１，２の外周面を洗浄、清浄状態に維持する。又、このようにしてブラシローラ１，２から散水された塵埃や、砂等は水分を含んで飛散し難い状態となる。
【発明の効果】
【０００７】
請求項１に記載の発明は、左送ブラシローラ１と右送ブラシローラ２は、搬送方向を左右異にするが、接地回転するブラシローラ１，２を下側に位置するように上下に位置反転することにより、同じ道路面を往復走行する等の掃除作業によって、道路の同一側へ掃き寄せることができる。又、これらブラシローラ１，２は接地部において、前側面部が上昇する側へ向けて回転されるため、路面から掃き上げられたごみ類は、浮上状態で左送り、又は右送り作用を受けてブラシローラ１，２端部へ搬送され、効率のよい掃除を行うことができる。上下一対のブラシローラ１，２を用いるが、それだけ使用期間を長くすることができ、伝動機構、及び操作等を簡単化することができる。
【０００８】
請求項２に記載の発明は、左送ブラシローラ１と右送ブラシローラ２は、機体３に対して昇降可能であると共に、上下反転可能に構成してあるので、これらブラシローラ１，２の昇降の上昇位置においては非掃除作用姿勢での移動走行を容易に行うことができ、これらブラシローラ１，２の反転切替作用を容易に行うことができる。しかも、掃除作用行程の間のブラシローラ１，２が上昇された非掃除作用姿勢時に上下反転切替えを行った場合には、ブラシローラ１，２の接地抵抗をなくして容易に反転切替え作用を行えると共に、該操作を少なく、的確に行うことができる。
【０００９】
請求項３に記載の発明は、ブラシローラ１，２のブラシに対する付着ごみは散水の流れによって、流し落しが行われ易く、ブラシによる掃除効果を良好に維持することができ、又、このブラシから飛散される塵埃の加湿効果を良くして、塵埃飛散防止効果を高めることができる。
【発明を実施するための最良の形態】
【００１０】
この路面掃除装置５は、走行車体６の前側に昇降可能に装着される。図例に基づいて、走行車体６は、左右一対のクローラ７を有して機体３上後部に搭載のエンジン８によって駆動されて走行することができる。機体３の後方にはハンドル９や、操作具等を配置してハンドル操作による歩行形態としている。この機体６の前方に、屈曲アーム１０の伸縮によって昇降されるリフトアーム１１が設けられて、このリフトアーム１１の前端部に上下一対の左送ブラシローラ１と右送ブラシローラ２が上下反転可能に設けられ、この下側に位置するブラシローラ１、又は２を接地させて回転させることにより、接地路面Ｄを掃除することができる。
ここにおいて、この発明に係る路面掃除装置５は、回転により左軸端側への搬送力を有した左送ブラシローラ１と、右軸端側への搬送力を有した右送りブラシローラ２を上下一対にして、水平状、かつ平行状にして軸装し、このうち下側に位置するブラシローラ１、又は２を走行路面に接地させて進行方向前面部が上方へ向って回転するように連動構成したことを特徴とする路面掃除装置である。又、前記一対のブラシローラ１，２を、機体３に対して昇降可能にすると共に、上下反転可能に構成したことを特徴とする路面掃除装置である。更に、前記ブラシローラ１、又は２の回転周部に散水する散水装置４を設けたことを特徴とする路面掃除装置である。
【００１１】
リフトアーム１１は、エンジン８前方の支持体１２に対して昇降軸１３の周りに上下回動自在に支持され、機体３との間に設けられる屈曲アーム１０の屈曲、乃至この屈曲アーム１０上端部から後方に突出されるリフトレバー５５によって路面掃除装置５を一体的に昇降することができる。路面掃除装置５は左右両側部が横フレーム４３で一体的構成として昇降可能で、これら左右両側部間にわたってブラシローラ１，２が軸支され、これらブラシローラ１，２のローラ軸１４，１５を回転自在に軸受した左右一対のサイドプレート１６とサイドケース１７との各中央部を反転回動可能に軸支１８，１９し、各ローラ軸１４，１５を連動可能にしている。サイドケース１７内には、伝動チェン２０が設けられて、入力軸１９の回転によって各ブラシローラ１，２が同方向へ回転されるようにスプロケット２１，２２，２３及びチェン２０連動される。前記リフトアーム１１の前端部には右側のチェンケース５６との間に出力軸２４が軸装されて、この出力軸２４と前記入力軸１９との間にわたってチェン２５を掛けわたして伝動する構成としている。又、この出力軸２４はエンジン８によって駆動されるプーリ３３からカウンタプーリ５７を介してベルト３４伝動される。
【００１２】
前記左右一対のサイドプレート１６とサイドケース１７との間に軸支された左送ブラシローラ１は、ローラ体２７の外周面に左送り用のブラシ２８が植設されて、このブラシローラ１の回転Ａによって、路面Ｄのごみ類を左側前方方向Ｌへ送るようにして掃除するものである。又、右送ブラシローラ２は、ローラ体２９の外周面に右送り用のブラシ３０が植設されて、このブラシローラ２の回転Ａによって、路面のごみ類を右側前方方向Ｒへ送るように掃除する。これら各ブラシローラ２８，３０の植設形態は、一定幅毎に間隔部を形成した断続螺旋形態とすることができるが、連続螺旋形態とすることもできる。更には、このような螺曲形態に代えて、密植形態のブラシを軸方向の左、右一側へ向けて傾斜させて植設する傾斜植設形態とすることも可能である。左右のサイドプレート１６とサイドケース１７との間は、中央部間にわたって設けられる前記入力軸１９、軸１８上の反転軸３１や、この側部のロッド３２等で連結されて、この反転軸３１の周りに一体的に反転回動するようにサイドプレート１６外側に設けたサイドアーム４５とチェンケース５６間に支持されている。この左送ブラシローラ１と右送ブラシローラ２の反転操作機構としては、前記サイドアーム４５の外側に反転レバー４４を設け、この反転レバー４４を操作することによって、サイドプレート１６の反転を可能としたり、又反転位置を固定することができる。更には、このような操作構成に代えて、ハンドル９部の近傍に設けられる操作レバーと、前記サイドプレート１６、又はサイドケース１７との間に、リンクや、ワイヤ等の連結機構を設けて、これらサイドプレート１６とサイドケース１７を反転軸３１周りに略１８０度往復回動して停止する遠隔操作する形態とすることができる。
【００１３】
前記路面掃除装置５のリフトアーム１１に対する装着は、ローリング軸４８周りに揺動自在に設けられる。リフトアーム１１はこれらローリング軸４８、及び昇降軸１３等を介して、ローリング、及び昇降可能の構成として連結される。
エンジン８の駆動によってクローラ７を伝動して車体６走行させると共に、ベルト３４を介して出力軸２４を伝動し、更にチェン２５を介して入力軸１９を伝動する。この入力軸１９によって、スプロケット２１、チェン２０、スプロケット２２，２３等を経て各ブラシローラ１，２が回転伝動される。６０はチェン２０を張るためのチェンテンション輪である。図例では上側に切替位置されるブラシローラ１、又は２も常時回転伝動される構成としているが、各ブラシローラ１、２のローラ軸１４，１５と、スプロケット２２，２３との間に、クラッチを設ける等によって、上側に位置するブラシローラ１、又は２の伝動を切りにするように構成し、ブラシローラ１，２の反転操作を連動してこのクラッチの切替を行う形態とすることも可能である。又、このようにして伝動回転するブラシローラ１，２は、車体６の進行方向Ｆに対して接地部で前側上方に向けて摺接して回転Ａするように設定される。このブラシローラ１、又は２の回転Ａによって、路面Ｄ上のごみ類がブラシローラ１、又は２の前上部に浮上されながら、左方向Ｌ、又は右方向Ｆへ掃き寄せ移動される。
【００１４】
前記チェンケース５６及びサイドアーム４５の後下部にはゲージホイル４０を設けて、ブラシローラ１，２を下降接地させたときの接地高さを一定に維持する構成としている。屈曲アーム１０の上端部と、後部の支持体１２との間にダンパスプリング４２を設け、ブラシローラ１、２の荷重による接地圧力や、リフトレバー５５の昇降操作荷重を軽減する構成としている。又、このチェンケース５６とサイドアーム４５間にはブラシカバー４６、及びこの前側のゴム垂れ４７を設けて、ブラシローラ１，２の回転によって掃除されるごみ類が周囲に飛散しないように防塵するものである。又、このような路面掃除装置５のリフトアーム１１に対する支持部は、前記ローリング軸４８周りにブラシローラ１，２が左右に揺動自在で、車体６の左右傾斜に拘らずブラシローラ１，２を路面Ｄに平行状に接地させるように構成している。
【００１５】
前記ブラシカバー４６には、散水装置４の一部を構成する散水ノズル３５が配置されて、下部に位置するブラシローラ１、又は２の回転周面上に噴水するように構成している。機体３上にはカウンタプーリ５７からベルト３６伝動される洗浄ポンプ３７と、この洗浄ポンプ３７によって送水される水タンク３８が搭載される。洗浄ポンプ３７の駆動によって、タンク３８から吸出される水をホース３９から噴水ノズル３５を経てブラシローラ１、又は２の外周面に向けて噴射散水する。
【００１６】
これらリフトレバー５５の手動操作による路面掃除装置５の昇降と、左送ブラシローラ１と右送ブラシローラ２の上下反転とは、連動して行わせる構成とすることもできる。路面掃除装置５が上昇する毎にブラシローラ１，２が反転して、左送ブラシローラ１と右送ブラシローラ２が交互に下降して接地状態となるように操作連動する構成とすることも可能である。又、図例では手動操作による路面掃除装置５の昇降を行っているが、シリンダー等を用いて昇降させる構成とすることも可能である。
【図面の簡単な説明】
【００１７】
【図１】路面掃除装置の平面図。
【図２】その側面図。
【図３】そのブラシローラ部の背面図と、側面図。
【図４】その一部軸受部の拡大背断面図と、この側面図。
【図５】その一部軸受部の拡大背断面図と、この側面図。
【図６】そのローリング軸部の平面図。
【図７】路面掃除装置の一部側面図。
【符号の説明】
【００１８】
１    左送ブラシローラ
２    右送ブラシローラ
３    機体
４    散水装置
５    路面掃除装置
【図１】
2007277807.tif 000003
【図２】
2007277807.tif 000004
【図３】
2007277807.tif 000005
【図４】
2007277807.tif 000006
【図５】
2007277807.tif 000007
【図６】
2007277807.tif 000008
【図７】
2007277807.tif 000009